(57)【要約】      （修正有）【課題】ドクター刃の摩耗を少なくし、耐刷性の向上を図り且つ三原色を用いたカラー絵柄においてもモワレが発生しないグラビア版の作成方法及びドクター刃の摩耗防止による印刷品質安定を向上するグラビア印刷版及び該グラビア印刷版を使用するグラビア印刷方法を提供する。【解決手段】ダイレクト網グラビア印刷版であって、版面に設けられる１００％濃度部のセルが、セルを形成する土手を含む１画素の形状が４辺からなる平行四辺形又は台形の形状で、１画素の交差する２辺に沿って土手は設けられ、対向する２辺の土手の一つが直線状に連り、２辺の直線状土手と交差する土手は任意の角度で設けられ、直線状土手はグラビア印刷版の円周方向に対し±３０度の範囲内の角度で設けられていることを特徴とする。【選択図】図４
2019000996.tif 000002
【特許請求の範囲】
【請求項１】
ダイレクト網グラビア印刷版の版面に設けられる１００％濃度部のセルが、該セルを形成する土手を含む１画素の形状が４辺からなる平行四辺形又は台形の形状で、該1画素の交差する２辺に沿って土手は設けられ、対向する２辺の土手の一つが直線状に連り、前記２辺の直線状土手と交差する土手は任意の角度で設けられ、前記直線状土手は前記グラビア印刷版の円周方向に対し±３０度の範囲内の角度で設けられていることを特徴とするグラビア印刷版。
【請求項２】
前記ダイレクト網グラビア印刷版に設けられる前記セルの前記１画素の形状が、前記直線状土手の線数が１インチ間に１００線から２５０線で、前記直線状の土手幅とセル幅の線比は１対３から１対６で、前記直線状の土手の土手幅に対し前記交差する土手の土手幅は０．３倍から１．５倍で、セルの前記直線状の土手に垂直な１画素ピッチに対し平行な前記交差する土手の１画素ピッチは０．５倍から３倍であることを特徴とする請求項１のグラビア印刷版。
【請求項３】
前記ダイレクト網グラビア印刷版の１００％濃度部においてドクターが接触する位置に関わらず、ドクターが接触する前記交差する土手の合計の長さが、同じ長さになっていることを特徴とする請求項１から請求項２のグラビア印刷版
【請求項４】
墨インキと三原色インキを用いてカラー絵柄を印刷するグラビア印刷版において、直線状に設けられる土手の間隔、及び前記直線状の土手に前記交差する土手の間隔を任意に決め、前記グラビア版の１００％濃度のセル表面積を同じ面積とすることで、モワレの発生を防止する前記請求項１から前記請求項３のダイレクト網グラビア印刷版を用いて印刷することを特徴とするグラビア印刷方法
【請求項５】
ダイレクト網グラビア印刷版の版面に設けられる１００％濃度部のセルは、該セルを形成する土手を含む１画素の形状が長辺と短辺とからなる平行四辺形であって、前記長辺の線数は１インチ間に１００線から２２５線で、土手幅とセル幅の比である線比は１対３から１対６で、前記短辺も長辺と同じ土手幅で、前記長辺と前記短辺とで挟まれた鋭角部の中心線が、前記グラビア印刷版の円周方向から±３０度の範囲内の角度であって、前記１画素を１単位としてヘリンボーン模様に配置されていることを特徴とするグラビア印刷版。
【請求項６】
墨インキと三原色インキインキを使用し任意のカラー絵柄を印刷するダイレクト網グラビア印刷版において、前記ヘリンボーン模様の角度が任意に振られ、モワレの発生を防止する前記請求項５のダイレクト網グラビア印刷版を用いることを特徴とするグラビア印刷方法。
【発明の詳細な説明】
【技術分野】
【０００１】
本発明は、グラビア印刷版に設けられるセル形状及び該セル形状を設けたグラビア印刷版を用いたグラビア印刷方法に関する。
【背景技術】
【０００２】
グラビア印刷（凹版印刷方式の一つ印刷方式）に使用されるグラビア版は、過去はコンベンショナル方式と呼ばれた方法で製造されていたが、現在は銅メッキ層を形成した印刷シリンダーの表面をダイアモンド針で彫刻して凹部（以下、セルと呼ばれる通称名称と言う）を形成する電子彫刻グラビア印刷版、又は銅メッキ層を形成した印刷シリンダーの表面に感光樹脂膜を塗布し、土手（セルを囲む腐食されない銅メッキ部分）となる部分をレーザーで露光硬化させ未硬化部を除去した後、銅メッキを腐食しセルを形成するダイレクト網グラビア版により、グラビア印刷版（セルを形成した後は耐刷性を持たせるために銅メッキ槽に6から１２ミクロンのクロムメッキ層が設けられる）が製造されている。
【０００３】
コンベンショナル方式で、グラビア印刷版を製造する工程は、カーボンティッシュと呼ばれたゼラチンを主成分とする感光膜に４５度に透明な線が交差するスクリーンフィルムを焼き付け、更に絵柄となるポジフィルムを焼き付けた後、グラビア版の銅メッキ表面に露光面を転写した後、現像し次の腐食液を感光膜に含侵腐食することで印刷絵柄を形成するセル（凹部）を製造していた。ここで用いられた、スクリーンフィルムの形状が、現在のダイレクト網グラビア版にも引き継がれてきた。
【０００４】
画像を表現する一画素（１７５線の場合は１４５ミクロン×１４５ミクロン）が荒いグラビア印刷方式においては、三原色を４５度の角度で直交する同じスクリーン角度でグラビア版を作成するとモワレと言われるハレーションが発生するため、この現象が画像に出ないように、各色のスクリーンの角度を１５度から３０度変える事で対処してきた。
【０００５】
また、従来の正四角形を４５度傾けてグラビア印刷版に設けるセルを、亀甲版と呼ばれる正六角形を積み重ねたセル形状のグラビア版も使用されるようになっている。
【０００６】
いずれにおいても、調子柄を再現するグラビア版は、一定の線数を使用しスクリーンの角度を、先に記述したように変更（スクリーン角度を振る）して製造されるものであ。一般的にグラビア印刷に使用される線数は、１７５線／インチであり、細かな文字などの場合は、２００線／インチが、濃度が必要なベタ柄（調子柄のないもの）などにおいて１５０線／インチのスクリーンが使用されることが有る。
【０００７】
また、これらの線数において、線比と呼ばれる土手となる部分とセルとなる部分の幅の比は、１対３、１対３．５、１対４，１対５などの比率で１画素が構成されている。
【０００８】
異なる、グラビア印刷版の製造方法として、ダイアモンド針で銅メッキ層を連続彫刻しセルを形成する電子彫刻方式がある。この方式で形成されるセルの形状は、四角形に近い形状から、四角形を細長くしたダイア形状のまで、使用するダイアモンド針の先端角度の交換により変更している。この形状の組み合わせで印刷時のモワレに対処している。
【０００９】
電子彫刻方式においても、調子柄を再現するグラビア版は、一定の線数を使用し、先に記述したように形状変更（ダイアモンド針に先端角度を変更する）して製造されるものである。一般的にグラビア印刷に使用される線数は、７０線／ｃｍであり、細かな文字などの場合は、８０線／ｃｍが、濃度が必要なベタ柄（調子柄のないもの）などにおいて６０線／ｃｍ又はこれ以上に荒い線数でグラビア印刷版が製造される。
【００１０】
これらの従来製造されるグラビア印刷版は、先に記載した何れの方式においても印刷される絵柄の再現性に重点がおかれたものであった。
【００１１】
このようにして製造されたグラビア印刷版は、グラビア印刷機でインキを塗布され、余分なインキはドクターで除去し、グラビア印刷版に設けられたセルのインキが充填され、該インキが被印刷物にニップ圧胴より圧接されることで転写され印刷は完了する。
【先行技術文献】
【特許文献】
【００１２】
先行の特許文献調査を行ったが、セル形状及びドクター摩耗を防止するセル形状の特許はなかった。
【発明の概要】
【発明が解決しようとする課題】
【００１３】
グラビア印刷版に塗布されたインキを、ドクター刃で掻き落とすことにより、グラビア版に設けたセルにインキを充填し被印刷物に転写することでグラビア印刷は行われるが、ドクター刃はグラビア印刷版に加圧されているためドクター刃は摩耗する。ドクター刃の摩耗少なくするセルの形状を検討し、グラビア印刷版の新たなセルの形状を設けることによりドクター刃の摩耗を少なくし、耐刷性の向上を図り且つ三原色を用いたカラー絵柄においてもモワレが発生しないグラビア版の作成方法を提供することができ、ドクター刃の摩耗防止による印刷品質安定を向上するグラビア印刷版及び該グラビア印刷版を使用するグラビア印刷方法を提供することを課題とする。
【課題を解決するための手段】
【００１４】
本発明のグラビア版はダイレクト網グラビア印刷版であって、版面に設けられる１００％濃度部のセルが、該セルを形成する土手を含む１画素の形状が４辺からなる平行四辺形又は台形の形状で、該1画素の交差する２辺に沿って土手は設けられ、対向する２辺の土手の一つが直線状に連り、前記２辺の直線状土手と交差する土手は任意の角度で設けられ、前記直線状土手は前記グラビア印刷版の円周方向に対し±３０度の範囲内の角度で設けられていることを特徴とする。
【００１５】
（本発明のグラビア印刷版を作製するための感光膜の形状と作成されたセルの形状は、例えば、深さ２５ミクロンの腐食（腐食深度）では、サイドエッチングにより５ミクロン程度感光膜の端下部が腐食されセルは広く、土手は狭くなる。この点を知ったうえで、以下の説明においては、感光膜形状に関しても、セル形状と略同じ形状として説明を加える。ただし、感光膜に関する内容に限定する場合は、感光膜と表現し説明を加えることとする。）
（１画素とは、１つのセルと土手からなるが、線数・線比において、線数は土手の端部から次の土手の端部までを持って算出され、線比は土手の幅とセルの幅を持って算出される。依って、本発明において、１画素は、１画素の交わる２辺に沿って土手を設け、土手を除く部分をセルとして記述をする。）
【００１６】
従来汎用的に使用されている、４５度の角度で交差する正方形からなるセルは、線数と線比を決めれば土手表面積、セル表面積が決まる。
【００１７】
本発明のグラビア版に設けられるセル形状は、２辺の土手が所定の角度、好ましくはグラビア印刷版の円周方向に対して角度±３０度の範囲で直線状に設けられ、該２辺の直線状土手と任意の角度で交差する土手により形成されるセルである。
【００１８】
従って、円周方向に直線状に連なり対向する２辺の土手（以下、直線状の土手と呼ぶ）の線数及び線比を決め、該２辺の土手に交差する土手（以下、交差する土手と呼ぶ）を任意に決めることが出来もので、該交差する２辺の土手の間隔を任意に決めれば、任意のセル表面積を持つグラビア版を設けることが出来るものである。
【００１９】
本発明のより得られる効果は、円周方向に直線状の土手により、ドクターの加圧を受け止めドクターの摩耗を少なくすることであるが、この点については後段で詳細な説明をする。（尚、円周方向に直線状の土手は円周方向だけでなく、円周方向に対して角度±３０度の範囲で振ることができる。）
【００２０】
図１は、従来汎用的に使用されているグラビア印刷版のセル形状の１例として、１７５線・線比１対４の１画素を示している。（周囲の破線は周りの画素を示すものである。）
１画素を実線で示したが、１画素中のセル部を（Ａ）、土手部を（Ｂ）で表示した。周りに設けた破線は、周りのセルの位置を示すものである。
尚、以下に図示する１画素図においても、（Ａ）（Ｂ）を表示する。
【００２１】
図２は、本発明のセル形状の1例であり、円周方向に設ける直線状の土手を１７５線・線比１対４とし、円周方向に直線状の土手に交差する土手を６０度の角度で設け、1画素の面積、土手の面積、セルの面積を、図１の1画素の面積、土手の面積、セルの面積と同一になるようにした1画素を示したものである。
【００２２】
本発明は、ドクターの摩耗を少なくするグラビア版に関するものであり、図１と図２を比較すると、ドクターが当たるセルの最大幅は、図１に示す白抜き両矢印の幅を、１００とすると、図２に示す白抜き両矢印の幅は、７０弱となる。従って、セル幅の狭い本発明のグラビア版のドクター摩耗は減少することとなる。
【００２３】
セルの幅がドクター摩耗に影響を与えることを次に説明する。セルの幅が狭いことが、セルを通過するドクターのタワミを少なくし、土手からセルへ落ち込むＲ部の深部には接触しないことにより、ドクター摩耗は少なくなる。次の示す例から容易に類推することができる。
【００２４】
ドクターがセルを跨ぐ幅が少なければドクター摩耗が少ない事は、図１のセルを形成する製版方法において、ドクター摩耗を１００％濃度部と、セル幅が狭い８０％濃度部でのドクター摩耗程度を比較すると前者はドクター摩耗が倍以上に激しいことからも解る。
【００２５】
また、１７５線・線比１対４のグラビア印刷版と、２００線・線比１対４のグラビア印刷版で、ドクター摩耗を比較すると前者のドクター摩耗が激しいことからも、セル幅が狭ければドクター摩耗が少ない事が分かる。
【００２６】
更に、ドクターが、セルを跨ぐときにセル底の方向へタワミを生じていることは、剛性の異なる２種のドクターを使用して、版面に塗布されたインキを掻き落とし被印刷物に転写させると、インキの使用量は剛性の高いドクターを使用した場合の方が多く、印刷濃度が有る事よりもドクターはセルを通過するときにタワミが少なく、剛性の低いドクターを使用した場合は、ドクターのタワミが大きいことが分かる。従って、タワミによりドクターは、土手の研磨がされていないＲ部とより広範囲に接触していることが分かる。これより、セル幅が広いとドクター摩耗が大きくなることが分かる。
【００２７】
図１の１画素を使用したグラビア版の表面拡大平面図を図３に、図２の１画素を使用したグラビア版の表面拡大平面図を図４に示し説明を加える。表面拡大平面図においは、セルと土手を表示し、図の上がグラビア印刷版の円周方向であり太矢印で示す。
【００２８】
図３において、版面の土手はジグザグに形成されており、このジグザグによりドクターはセル部と土手部で、タワミと戻りを繰り返しドクター摩耗は助長されているものと考えられる。これに対し図４は、円周方向に直線状に設けられた図１より狭い土手幅で、且つ同じ幅の土手により支えられ、ドクターは滑らかに移動することで振動は少なくなり、タワミの変化も少なく、摩耗が少なくなると考えられる。
【００２９】
また、図１のセルを設けたグラビア版と同じ量のインキを転移させ同濃度の印刷物を得るために、本発明のグラビア版に設けるセル形状は、図２のセルを設けたグラビア版に限るものではなく無限の形状数で、同濃度の印刷物を得ることができる。
【００３０】
一部の例として、図５から図９に示す本発明のグラビア版においても同濃度の印刷物を得ることができる。
【００３１】
表１に図１、図２、及び図５から図９の１画素面積を１００とした時の、セル部面積及土手部面積、線比及びドクターがセルを跨ぐ最大幅を汎用的に使用されている図１の幅を１００として比較する。
【００３２】
本発明においては、線数を変えても交差する土手の間隔を調整すれば、セルの面積を同じにすることができるため、同濃度の印刷物を得ることができる。このことは、図２と図５の関係である。
【００３３】
また、同じ線数で、線比を変えても土手の幅を調整すれば、同じセル面積のセルを得ることができるため、同濃度の印刷物を得ることができる。このことは、図８と図９の関係である。
【００３４】
【表１】
2019000996.tif 000003
【００３５】
表１に記載した、図５から図９について説明を加える。
図５は、線数を１６５線と荒くしたものであるが、ドクターがセルを跨ぐ幅は、図１の７４％であり、ドクターへの負荷は低減された。また、直線状の土手幅も広くなってしっかりとドクターを受け止めることができる。１画素面積、セル部面積、土手部面積も変わらず、同濃度の印刷物を得ることができる。
【００３６】
図６は、線数を１８７，５線と細かくしたものである。直線状の土手幅をしっかりとするための線比は１対３，６とたことで、しっかりとドクターを受け止めることができた。また、１画素面積、セル部面積、土手部面積も変わらず、同濃度の印刷物を得ることができる。
【００３７】
図７は、線数を２００線と更に細かくしたものである。これについても、。直線状の土手幅をしっかりとするための線比は１対３，３３とたことで、ドクターを受け止め摩耗は低減することができた。また、１画素面積、セル部面積、土手部面積も変わらず、同濃度の印刷物を得ることができる。
【００３８】
図８、図９は、線数を２１０線と更に細かくしたものである。図８は線比を１対４、図９は線比を１対３，３３とした。図８については、直線状の土手の幅は狭くなっているが、セル幅が５５％と狭くなっており、交差する土手が広いことでドクター摩耗を少なくすることはできた。また、図９のように土手幅を広く取っても同様にドクター摩耗を少なくすることはできた。また、１画素面積、セル部面積、土手部面積も変わらず、同濃度の印刷物を得ることができる。
【００３９】
この様に、本発明においてドクターは、円周方向に設けられた直線状の土手幅に対し、該土手に交差する土手幅は、任意の幅とすることが出来るため、先に示した表１より直線状の土手幅を広くし、該土手に直交しない土手幅を狭く、又は広くすることができる。
【００４０】
セル表面積、直線状のセル幅を変更せずに、円周方向に直線状に設けられた土手に交差する土手幅を狭くすることもできる。
【００４１】
また、本発明において、円周方向に直線状の土手の角度を±３０度の範囲で変更し、振ることが出来るが、図２及び５から図９の場合は、時計回りと逆に３０度の範囲に振ることが望ましい。後で示す図１０においては時計回りに３０度の範囲に振ることが望ましい。
【００４２】
本発明のグラビア版はダイレクト網グラビア印刷版であって、設けられるセルの１画素の形状が、直線状土手の線数が１インチ間に１００線から２５０線で、線比は１対３から１対６で、直線状の土手の土手幅に対し交差する土手の土手幅は０．３倍から１．５倍で、セルの直線状の土手に垂直な１画素ピッチに対し平行な１画素ピッチは０．５倍から３倍であることを特徴とする。
【００４３】
本発明のグラビア版に設けるセルの形状は、図２から図９に示したものに限るものではなく、例えば表１において交差する土手の角度を５０度に変えれば、ドクターがセルを跨ぐ幅が小さくなる。
【００４４】
本発明のグラビア版に設けるセルの形状は、任意に選択することができ上記の５０度にするだけでなく４５度でもよく、セル形状を任意に設ければ無限の形状設定ができる。
【００４５】
本発明のセルの形状は、種々の選択ができ、図１０に示すグラビア版表面図は、図４に対し直線状土手に対し交差する土手の角度が対称に設けられるもので有る。また、図４と図１０とが、１列づつ交互に組み合わされ矢羽模様状の配列になっていてもよい。また、図１１に示す台形のセルからなるグラビア版であってもよい。
【００４６】
本発明のグラビア版は前記ダイレクト網グラビア印刷版であって、１００％濃度部においてドクターが接触する位置に関わらず、ドクターが接触する前記交差する土手の合計の長さが、同じ長さになっていることを特徴とする。
【００４７】
図２から図１１で説明を行なったグラビア版において、直線状の土手に対し交差する土手が配置される位置も、ドクターの摩耗に影響をする。
【００４８】
例えば、図１２、図１３、図１４は、本発明のグラビア版の版面で、同じ線数、同じ土手面積、同じセル面積であるが、グラビア印刷時にドクターが受ける振動は異なるものである。
【００４９】
図１２は、ドクターが交差する土手を同時に通ることとなり、ドクターが受ける振動は大きくなり、好ましいものでない。
【００５０】
図１３、図１４は、ドクターは直線状の土手に交差する土手の配置は異なるが規則性を持って設けられておりドクターが受ける振動は分散されドクター摩耗は少ないものとなる。両者の差としては、インキのレベリングを考慮すれば図１４を選択する方が良く、ドクターへの振動をより少なくするには図１３が良い。
【００５１】
このように、本発明のグラビア版において、グラビア印刷版にドクターが接触する幅が、前記直線状の土手幅と前記直線状の土手に交差する土手幅の合計長さが、同じ長さになっていることが好ましい。
【００５２】
また、図１５に示した本発明のグラビア版のセルと土手からなる１画素は、４辺が同じ長さ（長辺と短辺を同じ長さとする）の菱形の形状であり、該１画素においては土手幅とセル幅の線比も同じである。
図１５の１画素を用い、交差する土手も直線状の配置したグラビア印刷版の表面拡大平面図を、図１６に示す。このように、左右上下を対称にすることもできる。図１５は、図１の直交する土手形状を、角度を変えて土手が交わるようにしたものであり、同じセル面積、同じ土手面積でドクターがセルを跨ぐ幅を狭くすることができドクター摩耗を少なくすることができる。
【００５３】
このようにして得られる本発明のグラビア版を、ベタ柄と呼ばれる１００％濃度の絵柄で構成されるグラビア版、全面ベタ絵柄で構成されるグラビア版、及び１００％濃度の絵柄と１００％濃度以下の階調で構成されるグラビア版として使用すれば、ドクターの摩耗は大幅に減少しグラビア印刷の安定性の向上が図れる。
【００５４】
本発明は、汎用的な直線が直角に交差するセル形状と異なるものであるが、なぜ本発明の変形セルの形状が考えられ実用化されなかったのかは、下記２項目の固定概念によるものと考えてよいと思われる。
１、直交する等間隔の土手でセルを形成するとの固定概念と、土手の間隔を変えるとセルの面積が変わるためだと思われる。
２、グラビア印刷版の製造方法の革新は意匠性の向を目的としていたために、セルは正方形が良いとの固定概念により、グラビア印刷の印刷安定性の向上にセル形状及び幅が影響することに対する配慮、更には変形セルを用いる発想がなかったためと思われる。
【００５５】
本発明のグラビア印刷方法は、墨インキと三原色インキを用いてカラー絵柄を印刷するグラビア印刷版において、直線状に設けられる土手の間隔、及び前記直線状の土手に交差する土手の間隔を任意に決め、前記グラビア版の１００％濃度のセル表面積を同じ面積とすることで、モワレの発生を防止する前記請求項１から前記請求項３のダイレクト網グラビア印刷版を用いて印刷することを特徴とする。
【００５６】
従来の、ダイレクト網グラビア印刷版において、カラーの絵柄を印刷する場合は、黄、紅、藍、墨色グラビア版は、線数を同じにしてスクリーン角度を±３０度の範囲で角度を振ることによりモワレ現象を防止している。直交するスクリーンによりセルが形成されるため、スクリーン線数を変更することはセルの表面積を変更することとなりカラー絵柄を表現する黄、紅、藍、墨色において１００％濃度のカラーバランスを確保することができないためである。
従って、モワレを防止するために、カラー印刷版はスクリーン角度を、１５度又は３０度振ったグラビア版を使用することとなる。
【００５７】
本発明のおいては、ドクターの摩耗を少なくするため、円周方向に設ける直線状の土手の振り角度を少なくし、黄、紅、藍、墨色グラビア版の線数を個々の版により任意に設定し、線数を変更しても１００％濃度を同等のセル表面積を確保でき、且つ線数を変える事でグラビア版の幅方向のピッチは変わり、交差する土手の長さも変化し、言い換えれば円周方向のピッチも変わるため、モワレの発生を防止することができる。
ただ、黄、紅、藍、墨色グラビア版の直線状の土手の半円中に対する角度を同じにする必要はなく、同じ線数、同じ線比、同じセル面積の版で角度を振ることでモワレを防止することもできる。
【００５８】
表２に、前出の図１及び図２、図５からから図９の版幅方向のピッチ及び円周方向のピッチをまとめる。
【００５９】
【表２】
2019000996.tif 000004
【００６０】
本発明のグラビア版を使用すれば、線数を変えても１００％濃度部において同一の濃度の印刷物を得られることで、直線状の土手の角度を変えることなく、モワレが発生しない印刷をすることができる。
【００６１】
表２に示す、図１のセルと、図５のセルでは、版幅方向でセルは１６ピッチで１ピッチズレ、円周方向でセルは１５ピッチで１ピッチのズレを生じる。このズレは２，３ｍｍごとに１ピッチズレが発生するものでありモワレと認識できるものでなく、直線状の土手の角度を振ることなくモワレを防止できる。
【００６２】
例えば、カラー絵柄を表現する黄、紅、藍、墨色グラビア版に、本発明の表２に示した２００線数、１８７，５線、１７５線、１６５線の４版を使用すればモワレが発生しないカラー絵柄の印刷物が得ることができる。
【００６３】
また、４種の線数を使わなくても、１７５線と、１８７，５線を使用し、同線数については５度から１５度程度の角度を振ることで、より繊細なカラー絵柄の印刷物が得ることができる。
【００６４】
このように、本発明のグラビア版を使用すれば、ドクター摩耗は大幅に減少し印刷品質が安定し、カラー絵柄の再現性も良好な印刷物を得ることができる。さらに、ドクターの摩耗が少なくなるだけでなく、ドクター摩耗片又は粉による品質不良である、ドクター筋、筋汚れ、ヒゲの発生を皆無にすることが出来た。
【００６５】
本発明のグラビア印刷版はダイレクト網グラビア印刷版であって、版面に設けられる１００％濃度部のセルは、該セルを形成する土手を含む１画素の形状が長辺と短辺とからなる平行四辺形であって、前記長辺の線数は１インチ間に１００線から２２５線で、土手幅とセル幅の比である線比は１対３から１対６で、前記短辺も長辺と同じ土手幅で、前記長辺と前記短辺とで挟まれた鋭角部の中心線が、前記グラビア印刷版の円周方向から±３０度の範囲内の角度であって、前記１画素を１単位としてヘリンボーン模様に配置されていることを特徴とする。
【００６６】
ドクター摩耗を低減するために、対向する辺の長さを同じとする、平行四辺形のセル形状であり、長辺と短辺短辺からなる１画素を、交互に一定の角度で配置することにより、従来汎用的に使用される４５度の角度で傾けた正方形のセル幅より、ドクターがセルに接する幅を狭くし、且つ正方形のセル表面積と同じセル面積とした本発明のセルにより、ドクター摩耗が低減され同濃度の印刷物を得られるグラビア版とするものである。
【００６７】
図１７、図１８、図１９、図２０に、本発明のグラビア版のセル配列を表面拡大平面図で示し説明をする。尚、其々の図の右下に破線で１画素を示した。
【００６８】
図１７は、短辺の長さに対し、長辺の長さが２倍になる１画素をヘリンボーン模様に組み合わせ構成し、グラビア版に設けた表面の拡大平面図である。
【００６９】
図１８は、短辺の長さに対し、長辺の長さが２倍になる辺を平行四辺形（変形長方形）にした１画素をヘリンボーン模様に組み合わせ構成し、グラビア版に設けた表面の拡大平面図である。
【００７０】
図１９は、図１８と同じ平行四辺形（変形長方形）を別なヘリンボーン模様に組み合わせ構成したものである。
【００７１】
図２０は、短辺の長さに対し、長辺の長さが３倍になる１画素をヘリンボーン模様に組み合わせ構成し、グラビア版に設けた表面の拡大平面図である。
【００７２】
図２１は、短辺の長さに対し、長辺の長さが１，５倍になる辺を平行四辺形（変形長方形）にした１画素をヘリンボーン模様に組み合わせ構成し、グラビア版に設けた表面の拡大平面図である。
【００７３】
本発明の図１７の平行四辺形の１画素を図２２に示し、汎用的に使われている正方形のセルである図１と比較した。また、形状はおおよそ、４長辺は２４７線、短辺は１２４線で、長辺の線比は、１対２，８であった。
【００７４】
図２２に、白抜き両矢印にドクターが接するセルの幅を示した。図１と比較するとセルの幅は６５％弱、土手幅は９３％強となり、ドクターの摩耗は大幅に低減できるものであった。
【００７５】
このように、長方形又は平行四辺形（変形長方形）から、任意に選択されたセルを持つグラビア版を用い、ベタ柄と呼ばれる１００％濃度の任意の柄印刷を行なえば、グラビア版に設けたセルに加圧され接触するドクターはセル部においてタワミが少なくなることで摩耗が大幅に低減され、印刷品質の向上及びドクター使用数の減少及び作業負荷の低減に大きな効果がある。
【００７６】
本発明のグラビア印刷方法は、墨インキと三原色インキインキを使用し任意のカラー絵柄を印刷するダイレクト網グラビア印刷版において、前記ヘリンボーン模様の角度が任意に振られ、モワレの発生を防止する前記請求項５のダイレクト網グラビア印刷版を用いることを特徴とする。
【００７７】
本発明の、セルを有するグラビア版を使用しカラー絵柄を印刷する場合は、カラー階調に準じて網点に変換すればよく、またモワレを防止するために、汎用的に使用されている正方形のセルと同様に、墨、三原色について任意にセル角度を±１５度及び±３０度振ればモワレの発生はない。
【００７８】
これにより、ドクターの摩耗が少なくなるだけでなく、ドクター摩耗片又は粉による品質不良である、ドクター筋、筋汚れ、ヒゲの発生を皆無にすることが出来た。
【発明の効果】
【００７９】
本発明のグラビア版を用いることにより、ドクターの摩耗を少なくすることができ、またドクター摩耗によるドクター起因の摩耗片、摩耗粉がなくなり、もしくは減少し印刷品質の向上が図れた。また、印刷職場における副材料であるドクター使用量が減少し収益の向上にもつながった。
【００８０】
また、本発明のグラビア版は、概長方形のセルを直線状又はヘリンボーン状又は矢羽状などに配置することでカラー絵柄の印刷においても１００％濃度のセル表面積を、汎用的に使用されている正方形セル表面積と同じにして、ダイレクト製版による網点で階調表現をすることで、ドクターの摩耗を少なく印刷品質の向上した印刷方法とすることができた。
【００８１】
モワレの発生の対しては、セルの角度を振る方法ではなく、セルの表面積を同じにし、セル形状を変える事で、縦横の線数を変えて印刷物のモワレを防止することができた。
【図面の簡単な説明】
【００８２】
【図１】汎用的な１７５線  線比１：４の１画素図
【図２】本発明の１７５線  線比１：４の１画素図
【図３】図１を使用したグラビア印刷版の表面拡大平面図
【図４】図２を使用したグラビア印刷版の表面拡大平面図
【図５】本発明の１６５線  線比１：４の１画素図
【図６】本発明の１８７，５線  線比１：３，６の１画素図
【図７】本発明の２００線  線比１：３，３３の１画素図
【図８】本発明の２１０線  線比１：４の１画素図
【図９】本発明の２１０線  線比１：３，３３の１画素図
【図１０】図５の交差する土手の角度が対称となる１画素図
【図１１】本発明のセル形状のグラビア印刷版の表面拡大平面図
【図１２】本発明のグラビア印刷版の表面拡大平面図
【図１３】本発明の別なグラビア印刷版の表面拡大平面図
【図１４】本発明の別なグラビア印刷版の表面拡大平面図
【図１５】本発明の１７５線で菱形からなる１画素図
【図１６】図１５を使用したグラビア印刷版の表面拡大平面図
【図１７】本発明のグラビア版のセル配列の表面拡大平面図
【図１８】本発明のグラビア版のセル配列の別な表面拡大平面図
【図１９】本発明のグラビア版のセル配列の別な表面拡大平面図
【図２０】本発明のグラビア版のセル配列の別な表面拡大平面図
【図２１】本発明のグラビア版のセル配列の別な表面拡大平面図
【図２２】図１７の１画素図
【発明を実施するための形態】
【実施例１】
【００８３】
図３の汎用的に使用されているダイレクト網グラビア版と図４の本発明のダイレクト網グラビア版の２版を作製し、ドクター（セラメッキドクター）の摩耗比較を行った。版幅１１００ｍｍ版円周７００ｍｍの版を使用し、絵柄は版の中央部に７００ｍｍ幅で１００％濃度のベタ柄を設け版深は２５ミクロンとした。
【００８４】
グラビア印刷は、ウレタン系インキの白インキを使用しインキ粘度はザンカップ＃３で１６秒とし、ドクター加圧は１、２ｋｇとし、印刷速度２００ｍ／分とした。ドクターの摩耗は、印刷前のドクターの長さを測定しておき３００００ｍ印刷後の測定を行い、ドクターの摩耗を調べた。
【００８５】
上記の比較の結果、汎用的に使用されているダイレクト網グラビア版はドクターが０，７ｍｍ摩耗していたのに対し、本発明のダイレクト網グラビア版においては、０，４ｍｍの摩耗であった。
【００８６】
同様の比較を、ウレタン系インキの黄インキを使用し行った。結果は、汎用的に使用されているダイレクト網グラビア版はドクターが０，５ｍｍ摩耗していたのに対し、本発明のダイレクト網グラビア版においては、０，３ｍｍの摩耗であった。
【実施例２】
【００８７】
図１の汎用的に使用されているセル形状で、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。本発明のセル形状で、墨版、藍版、紅版、黄版のセル形状として墨版は図６、藍版は図２、紅版は図７、黄版は図５の１画素セル形状を選択し、カラー絵柄のダイレクト網グラビア版を作製した。本発明のグラビア版においては角度を振らなかった。
【００８８】
上記のカラー絵柄の４版と、実施例１で作成した版を白版として用い、汎用的に使用されているダイレクト網グラビア版と、本発明の線数の異なるダイレクト網グラビア版を用い、ウレタン系インキを使用し各色のインキ粘度をザンカップ＃３で１４秒とし、ドクター加圧は１、２ｋｇとし、印刷速度２００ｍ／分とし３００００ｍの印刷行い、カラー絵柄の再現性、意匠性を比較した。
【００８９】
どちらの版においても、カラー絵柄の再現性、意匠性に問題はなかった。また、モワレの発生もなかった。
【実施例３】
【００９０】
実施例２において、本発明のカラー絵柄の版は、角度を振らずに印刷を行なったが、角度を振った場合について、本実施例で確認を行った。
【００９１】
紅版を時計回りと逆に１５度角度を振り、藍版を図２でなく交差する土手を対称の角度に変え図１０のセル形状として、時計回りに１５度角度を振りグラビア版を作製し、実施例２と同様の確認をおこなった。結果はカラー絵柄の再現性、意匠性は良好でモワレの発生もなかった。
【実施例４】
【００９２】
図３の汎用的に使用されているダイレクト網グラビア版と本発明の図１７（1画素形状は図２２）のダイレクト網グラビア版の２版を作製し、ドクター（セラメッキドクター）の摩耗比較を行った。版幅１１００ｍｍ版円周７００ｍｍの版を使用し、絵柄は版の中央部に７００ｍｍ幅で１００％濃度のベタ柄を設け版深は２５ミクロンとした。
【００９３】
グラビア印刷は、ウレタン系インキの白インキを使用しインキ粘度はザンカップ＃３で１６秒とし、ドクター加圧は１、２ｋｇとし、印刷速度２００ｍ／分とした。ドクターの摩耗は、印刷前のドクターの長さを測定しておき３００００ｍ印刷後の測定を行い、ドクターの摩耗を調べた。
【００９４】
上記の比較の結果、汎用的に使用されているダイレクト網グラビア版はドクターが０，７ｍｍ摩耗していたのに対し、本発明のダイレクト網グラビア版においては、０，４ｍｍの摩耗であった。
【００９５】
同様の比較を、ウレタン系インキの黄インキを使用し行った。結果は、汎用的に使用されているダイレクト網グラビア版はドクターが０，５ｍｍ摩耗していたのに対し、本発明のダイレクト網グラビア版においては、０，３ｍｍの摩耗であった。
【実施例５】
【００９６】
図１の汎用的に使用されているセル形状で、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。本発明の図１７（1画素形状は図２２）のセル形状においても同様に、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。
【００９７】
上記のカラー絵柄の４版と、実施例３で作成した版を白版として用い、汎用的に使用されているダイレクト網グラビア版と、本発明のダイレクト網グラビア版を用い、ウレタン系インキを使用し各色のインキ粘度をザンカップ＃３で１４秒とし、ドクター加圧は１、２ｋｇとし、印刷速度２００ｍ／分とし３００００ｍの印刷行い、カラー絵柄の再現性、意匠性を比較した。
【００９８】
どちらの版においても、カラー絵柄の再現性、意匠性に問題はなかった。また、モワレの発生もなかった。
【符号の説明】
【００９９】
Ａ  １画素に占めるセル部分
Ｂ  １画素に占める土手部分
【図１】
2019000996.tif 000005
【図２】
2019000996.tif 000006
【図３】
2019000996.tif 000007
【図４】
2019000996.tif 000008
【図５】
2019000996.tif 000009
【図６】
2019000996.tif 000010
【図７】
2019000996.tif 000011
【図８】
2019000996.tif 000012
【図９】
2019000996.tif 000013
【図１０】
2019000996.tif 000014
【図１１】
2019000996.tif 000015
【図１２】
2019000996.tif 000016
【図１３】
2019000996.tif 000017
【図１４】
2019000996.tif 000018
【図１５】
2019000996.tif 000019
【図１６】
2019000996.tif 000020
【図１７】
2019000996.tif 000021
【図１８】
2019000996.tif 000022
【図１９】
2019000996.tif 000023
【図２０】
2019000996.tif 000024
【図２１】
2019000996.tif 000025
【図２２】
2019000996.tif 000026
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
ダイレクト網グラビア印刷版の版面に設けられる１００％濃度部のセルの形状、若しくはセルを形成する土手を含む１画素の形状が４辺からなる２辺の長さの異なる平行四辺形又は台形の形状で、前記セルを形成する土手を含む1画素の交差する２辺に沿って土手は設けられ、該２辺の土手の一つが隣接する画素の一つの土手と直線状に連り、該直線状に連なる土手と交差する土手は任意の角度で設けられ、前記直線状に連なる土手は前記グラビア印刷版の円周方向に対し±３０度の範囲内の角度で設けられていることを特徴とするグラビア印刷版。
【請求項２】
前記直線状に連なる土手の線数が１インチ間に１００線から２５０線で、前記直線状に連なる土手の土手幅とセル幅の線比は１対３から１対６で、前記直線状に連なる土手の土手幅に対し前記交差する土手の土手幅は０．３倍から１．５倍で、セルの前記直線状に連なる土手に垂直な１画素ピッチに対し平行な前記交差する土手の１画素ピッチは０．５倍から３倍であることを特徴とする請求項１のグラビア印刷版。
【請求項３】
前記ダイレクト網グラビア印刷版の１００％濃度部においてドクターが接触する位置に関わらず、ドクターが接触する前記交差する土手の合計の長さが、同じ長さになっていることを特徴とする請求項１から請求項２のグラビア印刷版
【請求項４】
墨インキと三原色インキを用いてカラー絵柄を印刷するグラビア印刷版において、直線状に連なる土手の間隔、及び前記直線状に連なる土手に交差する前記交差する土手の間隔を任意に決め、前記グラビア版の１００％濃度のセル表面積を同じ面積とし、且つ各色グラビア印刷版における直線状に設けられる土手のピッチ及び交差する土手のピッチを異なるものとすることで、モワレの発生を防止する前記請求項１から前記請求項３のダイレクト網グラビア印刷版を用いて印刷することを特徴とするグラビア印刷方法
【請求項５】
ダイレクト網グラビア印刷版の版面に設けられる１００％濃度部のセルは、該セルを形成する土手を含む１画素の形状が長辺と短辺とからなる平行四辺形であって、前記長辺の線数は１インチ間に１００線から２２５線で、短辺方向の土手幅とセル幅の比である線比は１対３から１対６で、前記短辺も長辺と同じ土手幅で、前記長辺と前記短辺とで挟まれた鋭角部の中心線が、前記グラビア印刷版の円周方向から±３０度の範囲内の角度であって、前記１画素を１単位としてヘリンボーン模様に配置されていることを特徴とするグラビア印刷版。
【請求項６】
墨インキと三原色インキインキを使用し任意のカラー絵柄を印刷するダイレクト網グラビア印刷版において、前記ヘリンボーン模様の角度が任意に振られ、モワレの発生を防止する前記請求項５のダイレクト網グラビア印刷版を用いることを特徴とするグラビア印刷方法。
【手続補正２】
【補正対象書類名】明細書
【補正対象項目名】全文
【補正方法】変更
【補正の内容】
【発明の詳細な説明】
【技術分野】
【０００１】
本発明は、グラビア印刷版に設けられるセル形状及び該セル形状を設けたグラビア印刷版を用いたグラビア印刷方法に関する。
【背景技術】
【０００２】
グラビア印刷（凹版印刷方式の一つ印刷方式）に使用されるグラビア版は、過去はコンベンショナル方式と呼ばれた方法で製造されていたが、現在は銅メッキ層を形成した印刷シリンダーの表面をダイアモンド針で彫刻して凹部（以下、セルと呼ばれる通称名称と言う）を形成する電子彫刻グラビア印刷版、又は銅メッキ層を形成した印刷シリンダーの表面に感光樹脂膜を塗布し、土手（セルを囲む腐食されない銅メッキ部分）となる部分をレーザーで露光硬化させ未硬化部を除去した後、銅メッキを腐食しセルを形成するダイレクト網グラビア版により、グラビア印刷版（セルを形成した後は耐刷性を持たせるために銅メッキ槽に6から１２ミクロンのクロムメッキ層が設けられる）が製造されている。
【０００３】
コンベンショナル方式で、グラビア印刷版を製造する工程は、カーボンティッシュと呼ばれたゼラチンを主成分とする感光膜に４５度に透明な線が交差するスクリーンフィルムを焼き付け、更に絵柄となるポジフィルムを焼き付けた後、グラビア版の銅メッキ表面に露光面を転写した後、現像し次の腐食液を感光膜に含侵腐食することで印刷絵柄を形成するセル（凹部）を製造していた。ここで用いられた、スクリーンフィルムの形状が、現在のダイレクト網グラビア版にも引き継がれてきた。
【０００４】
画像を表現する一画素（１７５線の場合は１４５ミクロン×１４５ミクロン）が荒いグラビア印刷方式においては、三原色を４５度の角度で直交する同じスクリーン角度でグラビア版を作成するとモワレと言われるハレーションが発生するため、この現象が画像に出ないように、各色のスクリーンの角度を１５度から３０度変える事で対処してきた。
【０００５】
また、従来の正四角形を４５度傾けてグラビア印刷版に設けるセルを、亀甲版と呼ばれる正六角形を積み重ねたセル形状のグラビア版も使用されるようになっている。
【０００６】
いずれにおいても、調子柄を再現するグラビア版は、一定の線数を使用しスクリーンの角度を、先に記述したように変更（スクリーン角度を振る）して製造されるものであ。一般的にグラビア印刷に使用される線数は、１７５線／インチであり、細かな文字などの場合は、２００線／インチが、濃度が必要なベタ柄（調子柄のないもの）などにおいて１５０線／インチのスクリーンが使用されることが有る。
【０００７】
また、これらの線数において、線比と呼ばれる土手となる部分とセルとなる部分の幅の比は、１対３、１対３．５、１対４，１対５などの比率で１画素が構成されている。
【０００８】
異なる、グラビア印刷版の製造方法として、ダイアモンド針で銅メッキ層を連続彫刻しセルを形成する電子彫刻方式がある。この方式で形成されるセルの形状は、四角形に近い形状から、四角形を細長くしたダイア形状のまで、使用するダイアモンド針の先端角度の交換により変更している。この形状の組み合わせで印刷時のモワレに対処している。
【０００９】
電子彫刻方式においても、調子柄を再現するグラビア版は、一定の線数を使用し、先に記述したように形状変更（ダイアモンド針に先端角度を変更する）して製造されるものである。一般的にグラビア印刷に使用される線数は、７０線／ｃｍであり、細かな文字などの場合は、８０線／ｃｍが、濃度が必要なベタ柄（調子柄のないもの）などにおいて６０線／ｃｍ又はこれ以上に荒い線数でグラビア印刷版が製造される。
【００１０】
これらの従来製造されるグラビア印刷版は、先に記載した何れの方式においても印刷される絵柄の再現性に重点がおかれたものであった。
【００１１】
このようにして製造されたグラビア印刷版は、グラビア印刷機でインキを塗布され、余分なインキはドクターで除去し、グラビア印刷版に設けられたセルのインキが充填され、該インキが被印刷物にニップ圧胴より圧接されることで転写され印刷は完了する。
【先行技術文献】
【特許文献】
【００１２】
先行の特許文献調査を行ったが、セル形状及びドクター摩耗を防止するセル形状の特許はなかった。
【発明の概要】
【発明が解決しようとする課題】
【００１３】
グラビア印刷版に塗布されたインキを、ドクター刃で掻き落とすことにより、グラビア版に設けたセルにインキを充填し被印刷物に転写することでグラビア印刷は行われるが、ドクター刃はグラビア印刷版に加圧されているためドクター刃は摩耗する。ドクター刃の摩耗少なくするセルの形状を検討し、グラビア印刷版の新たなセルの形状を設けることによりドクター刃の摩耗を少なくし、耐刷性の向上を図り且つ三原色を用いたカラー絵柄においてもモワレが発生しないグラビア版の作成方法を提供することができ、ドクター刃の摩耗防止による印刷品質安定を向上するグラビア印刷版及び該グラビア印刷版を使用するグラビア印刷方法を提供することを課題とする。
【課題を解決するための手段】
【００１４】
本発明のグラビア版はダイレクト網グラビア印刷版の版面に設けられる１００％濃度部のセルの形状、若しくはセルを形成する土手を含む１画素の形状が４辺からなる２辺の長さの異なる平行四辺形又は台形の形状で、前記セルを形成する土手を含む1画素の交差する２辺に沿って土手は設けられ、該２辺の土手の一つが隣接する画素の一つの土手と直線状に連り、該直線状に連なる土手と交差する土手は任意の角度で設けられ、前記直線状に連なる土手は前記グラビア印刷版の円周方向に対し±３０度の範囲内の角度で設けられていることを特徴とする。
【００１５】
（本発明のグラビア印刷版を作製するための感光膜の形状と作成されたセルの形状は、例えば、深さ２５ミクロンの腐食（腐食深度）では、サイドエッチングにより５ミクロン程度感光膜の端下部が腐食されセルは広く、土手は狭くなる。この点を知ったうえで、以下の説明においては、感光膜形状に関しても、セル形状と略同じ形状として説明を加える。ただし、感光膜に関する内容に限定する場合は、感光膜と表現し説明を加えることとする。）
（１画素とは、１つのセルと土手からなるが、線数・線比において、線数は土手の端部から次の土手の端部までを持って算出され、線比は土手の幅とセルの幅を持って算出される。依って、本発明において、１画素は、１画素の交わる２辺に沿って土手を設け、土手を除く部分をセルとして記述をする。）
【００１６】
従来汎用的に使用されている、４５度の角度で交差する正方形からなるセルは、線数と線比を決めれば土手表面積、セル表面積が決まる。
【００１７】
本発明のグラビア版に設けられるセル形状は、２辺の土手が所定の角度、好ましくはグラビア印刷版の円周方向に対して角度±３０度の範囲で直線状に設けられ、該２辺の直線状に連なる土手と任意の角度で交差する土手により形成されるセルである。
【００１８】
従って、円周方向に直線状に連なり対向する２辺の土手（以下、直線状に連なる土手と呼ぶ）の線数及び線比を決め、該２辺の土手に交差する土手（以下、交差する土手と呼ぶ）を任意に決めることが出来もので、該交差する２辺の土手の間隔を任意に決めれば、任意のセル表面積を持つグラビア版を設けることが出来るものである。
【００１９】
本発明のより得られる効果は、円周方向に直線状に連なる土手により、ドクターの加圧を受け止めドクターの摩耗を少なくすることであるが、この点については後段で詳細な説明をする。（尚、円周方向に直線状に連なる土手は円周方向だけでなく、円周方向に対して角度±３０度の範囲で振ることができる。）
【００２０】
図１は、従来汎用的に使用されているグラビア印刷版のセル形状の１例として、１７５線・線比１対４の１画素を示している。（周囲の破線は周りの画素を示すものである。）
１画素を実線で示したが、１画素中のセル部を（Ａ）、土手部を（Ｂ）で表示した。周りに設けた破線は、周りのセルの位置を示すものである。
尚、以下に図示する１画素図においても、（Ａ）（Ｂ）を表示する。
【００２１】
図２は、本発明のセル形状の1例であり、円周方向に設ける直線状に連なる土手を１７５線・線比１対４とし、円周方向に直線状に連なる土手に交差する土手を６０度の角度で設け、1画素の面積、土手の面積、セルの面積を、図１の1画素の面積、土手の面積、セルの面積と同一になるようにした1画素を示したものである。
【００２２】
本発明は、ドクターの摩耗を少なくするグラビア版に関するものであり、図１と図２を比較すると、ドクターが当たるセルの最大幅は、図１に示す白抜き両矢印の幅を、１００とすると、図２に示す白抜き両矢印の幅は、７０弱となる。従って、セル幅の狭い本発明のグラビア版のドクター摩耗は減少することとなる。
【００２３】
セルの幅がドクター摩耗に影響を与えることを次に説明する。セルの幅が狭いことが、セルを通過するドクターのタワミを少なくし、土手からセルへ落ち込むＲ部の深部には接触しないことにより、ドクター摩耗は少なくなる。次の示す例から容易に類推することができる。
【００２４】
ドクターがセルを跨ぐ幅が少なければドクター摩耗が少ない事は、図１のセルを形成する製版方法において、ドクター摩耗を１００％濃度部と、セル幅が狭い８０％濃度部でのドクター摩耗程度を比較すると前者はドクター摩耗が倍以上に激しいことからも解る。
【００２５】
また、１７５線・線比１対４のグラビア印刷版と、２００線・線比１対４のグラビア印刷版で、ドクター摩耗を比較すると前者のドクター摩耗が激しいことからも、セル幅が狭ければドクター摩耗が少ない事が分かる。
【００２６】
更に、ドクターが、セルを跨ぐときにセル底の方向へタワミを生じていることは、剛性の異なる２種のドクターを使用して、版面に塗布されたインキを掻き落とし被印刷物に転写させると、インキの使用量は剛性の高いドクターを使用した場合の方が多く、印刷濃度が有る事よりもドクターはセルを通過するときにタワミが少なく、剛性の低いドクターを使用した場合は、ドクターのタワミが大きいことが分かる。従って、タワミによりドクターは、土手の研磨がされていないＲ部とより広範囲に接触していることが分かる。これより、セル幅が広いとドクター摩耗が大きくなることが分かる。
【００２７】
図１の１画素を使用したグラビア版の表面拡大平面図を図３に、図２の１画素を使用したグラビア版の表面拡大平面図を図４に示し説明を加える。表面拡大平面図においは、セルと土手を表示し、図の上がグラビア印刷版の円周方向であり太矢印で示す。
【００２８】
図３において、版面の土手はジグザグに形成されており、このジグザグによりドクターはセル部と土手部で、タワミと戻りを繰り返しドクター摩耗は助長されているものと考えられる。これに対し図４は、円周方向に直線状に設けられた図１より狭い土手幅で、且つ同じ幅の土手により支えられ、ドクターは滑らかに移動することで振動は少なくなり、タワミの変化も少なく、摩耗が少なくなると考えられる。
【００２９】
また、図１のセルを設けたグラビア版と同じ量のインキを転移させ同濃度の印刷物を得るために、本発明のグラビア版に設けるセル形状は、図２のセルを設けたグラビア版に限るものではなく無限の形状数で、同濃度の印刷物を得ることができる。
【００３０】
一部の例として、図５から図９に示す本発明のグラビア版においても同濃度の印刷物を得ることができる。
【００３１】
表１に図１、図２、及び図５から図９の１画素面積を１００とした時の、セル部面積及土手部面積、線比及びドクターがセルを跨ぐ最大幅を汎用的に使用されている図１の幅を１００として比較する。
【００３２】
本発明においては、線数を変えても交差する土手の間隔を調整すれば、セルの面積を同じにすることができるため、同濃度の印刷物を得ることができる。このことは、図２と図５の関係である。
【００３３】
また、同じ線数で、線比を変えても土手の幅を調整すれば、同じセル面積のセルを得ることができるため、同濃度の印刷物を得ることができる。このことは、図８と図９の関係である。
【００３４】
【表１】
2019000996.tif 000027
【００３５】
表１に記載した、図５から図９について説明を加える。
図５は、線数を１６５線と荒くしたものであるが、ドクターがセルを跨ぐ幅は、図１の７４％であり、ドクターへの負荷は低減された。また、直線状に連なる土手幅も広くなってしっかりとドクターを受け止めることができる。１画素面積、セル部面積、土手部面積も変わらず、同濃度の印刷物を得ることができる。
【００３６】
図６は、線数を１８７，５線と細かくしたものである。直線状に連なる土手幅をしっかりとするための線比は１対３，６とたことで、しっかりとドクターを受け止めることができた。また、１画素面積、セル部面積、土手部面積も変わらず、同濃度の印刷物を得ることができる。
【００３７】
図７は、線数を２００線と更に細かくしたものである。これについても、。直線状に連なる土手幅をしっかりとするための線比は１対３，３３とたことで、ドクターを受け止め摩耗は低減することができた。また、１画素面積、セル部面積、土手部面積も変わらず、同濃度の印刷物を得ることができる。
【００３８】
図８、図９は、線数を２１０線と更に細かくしたものである。図８は線比を１対４、図９は線比を１対３，３３とした。図８については、直線状に連なる土手の幅は狭くなっているが、セル幅が５５％と狭くなっており、交差する土手が広いことでドクター摩耗を少なくすることはできた。また、図９のように土手幅を広く取っても同様にドクター摩耗を少なくすることはできた。また、１画素面積、セル部面積、土手部面積も変わらず、同濃度の印刷物を得ることができる。
【００３９】
この様に、本発明においてドクターは、円周方向に設けられた直線状に連なる土手幅に対し、該土手に交差する土手幅は、任意の幅とすることが出来るため、先に示した表１より直線状に連なる土手幅を広くし、該土手に直交しない土手幅を狭く、又は広くすることができる。
【００４０】
セル表面積、直線状のセル幅を変更せずに、円周方向に直線状に設けられた土手に交差する土手幅を狭くすることもできる。
【００４１】
また、本発明において、円周方向に直線状に連なる土手の角度を±３０度の範囲で変更し、振ることが出来るが、図２及び５から図９の場合は、時計回りと逆に３０度の範囲に振ることが望ましい。後で示す図１０においては時計回りに３０度の範囲に振ることが望ましい。
【００４２】
本発明のグラビア版はダイレクト網グラビア印刷版であって、設けられるセルの１画素の形状が、前記直線状に連なる土手の線数が１インチ間に１００線から２５０線で、前記直線状に連なる土手の土手幅とセル幅の線比は１対３から１対６で、前記直線状に連なる土手の土手幅に対し前記交差する土手の土手幅は０．３倍から１．５倍で、セルの前記直線状に連なる土手に垂直な１画素ピッチに対し平行な前記交差する土手の１画素ピッチは０．５倍から３倍であることを特徴とする。
【００４３】
本発明のグラビア版に設けるセルの形状は、図２から図９に示したものに限るものではなく、例えば表１において交差する土手の角度を５０度に変えれば、ドクターがセルを跨ぐ幅が小さくなる。
【００４４】
本発明のグラビア版に設けるセルの形状は、任意に選択することができ上記の５０度にするだけでなく４５度でもよく、セル形状を任意に設ければ無限の形状設定ができる。
【００４５】
本発明のセルの形状は、種々の選択ができ、図１０に示すグラビア版表面図は、図４に対し直線状に連なる土手に対し交差する土手の角度が対称に設けられるもので有る。また、図４と図１０とが、１列づつ交互に組み合わされ矢羽模様状の配列になっていてもよい。また、図１１に示す台形のセルからなるグラビア版であってもよい。
【００４６】
本発明のグラビア版は前記ダイレクト網グラビア印刷版であって、１００％濃度部においてドクターが接触する位置に関わらず、ドクターが接触する前記交差する土手の合計の長さが、同じ長さになっていることを特徴とする。
【００４７】
図２から図１１で説明を行なったグラビア版において、直線状に連なる土手に対し交差する土手が配置される位置も、ドクターの摩耗に影響をする。
【００４８】
例えば、図１２、図１３、図１４は、本発明のグラビア版の版面で、同じ線数、同じ土手面積、同じセル面積であるが、グラビア印刷時にドクターが受ける振動は異なるものである。
【００４９】
図１２は、ドクターが交差する土手を同時に通ることとなり、ドクターが受ける振動は大きくなり、好ましいものでない。
【００５０】
図１３、図１４は、ドクターは直線状に連なる土手に交差する土手の配置は異なるが規則性を持って設けられておりドクターが受ける振動は分散されドクター摩耗は少ないものとなる。両者の差としては、インキのレベリングを考慮すれば図１４を選択する方が良く、ドクターへの振動をより少なくするには図１３が良い。
【００５１】
このように、本発明のグラビア版において、グラビア印刷版にドクターが接触する幅が、前記直線状に連なる土手幅と前記直線状に連なる土手に交差する土手幅の合計長さが、同じ長さになっていることが好ましい。
【００５２】
また、図１５に示した本発明のグラビア版のセルと土手からなる１画素は、４辺が同じ長さ（長辺と短辺を同じ長さとする）の菱形の形状であり、該１画素においては土手幅とセル幅の線比も同じである。
図１５の１画素を用い、交差する土手も直線状の配置したグラビア印刷版の表面拡大平面図を、図１６に示す。このように、左右上下を対称にすることもできる。図１５は、図１の直交する土手形状を、角度を変えて土手が交わるようにしたものであり、同じセル面積、同じ土手面積でドクターがセルを跨ぐ幅を狭くすることができドクター摩耗を少なくすることができる。
【００５３】
このようにして得られる本発明のグラビア版を、ベタ柄と呼ばれる１００％濃度の絵柄で構成されるグラビア版、全面ベタ絵柄で構成されるグラビア版、及び１００％濃度の絵柄と１００％濃度以下の階調で構成されるグラビア版として使用すれば、ドクターの摩耗は大幅に減少しグラビア印刷の安定性の向上が図れる。
【００５４】
本発明は、汎用的な直線が直角に交差するセル形状と異なるものであるが、なぜ本発明の変形セルの形状が考えられ実用化されなかったのかは、下記２項目の固定概念によるものと考えてよいと思われる。
１、直交する等間隔の土手でセルを形成するとの固定概念と、土手の間隔を変えるとセルの面積が変わるためだと思われる。
２、グラビア印刷版の製造方法の革新は意匠性の向を目的としていたために、セルは正方形が良いとの固定概念により、グラビア印刷の印刷安定性の向上にセル形状及び幅が影響することに対する配慮、更には変形セルを用いる発想がなかったためと思われる。
【００５５】
本発明のグラビア印刷方法は、墨インキと三原色インキを用いてカラー絵柄を印刷するグラビア印刷版において、直線状に連なる土手の間隔、及び前記直線状に連なる土手に交差する前記交差する土手の間隔を任意に決め、前記グラビア版の１００％濃度のセル表面積を同じ面積とし、且つ各色グラビア印刷版における直線状に設けられる土手のピッチ及び交差する土手のピッチを異なるものとすることで、モワレの発生を防止する前記請求項１から前記請求項３のダイレクト網グラビア印刷版を用いて印刷することを特徴とする。
【００５６】
従来の、ダイレクト網グラビア印刷版において、カラーの絵柄を印刷する場合は、黄、紅、藍、墨色グラビア版は、線数を同じにしてスクリーン角度を±３０度の範囲で角度を振ることによりモワレ現象を防止している。直交するスクリーンによりセルが形成されるため、スクリーン線数を変更することはセルの表面積を変更することとなりカラー絵柄を表現する黄、紅、藍、墨色において１００％濃度のカラーバランスを確保することができないためである。
従って、モワレを防止するために、カラー印刷版はスクリーン角度を、１５度又は３０度振ったグラビア版を使用することとなる。
【００５７】
本発明のおいては、ドクターの摩耗を少なくするため、円周方向に設ける直線状に連なる土手の振り角度を少なくし、黄、紅、藍、墨色グラビア版の線数を個々の版により任意に設定し、線数を変更しても１００％濃度を同等のセル表面積を確保でき、且つ線数を変える事でグラビア版の幅方向のピッチは変わり、交差する土手の長さも変化し、言い換えれば円周方向のピッチも変わるため、モワレの発生を防止することができる。
ただ、黄、紅、藍、墨色グラビア版の直線状に連なる土手の半円中に対する角度を同じにする必要はなく、同じ線数、同じ線比、同じセル面積の版で角度を振ることでモワレを防止することもできる。
【００５８】
表２に、前出の図１及び図２、図５からから図９の版幅方向のピッチ及び円周方向のピッチをまとめる。
【００５９】
【表２】
2019000996.tif 000028
【００６０】
本発明のグラビア版を使用すれば、線数を変えても１００％濃度部において同一の濃度の印刷物を得られることで、直線状に連なる土手の角度を変えることなく、モワレが発生しない印刷をすることができる。
【００６１】
表２に示す、図１のセルと、図５のセルでは、版幅方向でセルは１６ピッチで１ピッチズレ、円周方向でセルは１５ピッチで１ピッチのズレを生じる。このズレは２，３ｍｍごとに１ピッチズレが発生するものでありモワレと認識できるものでなく、直線状に連なる土手の角度を振ることなくモワレを防止できる。
【００６２】
例えば、カラー絵柄を表現する黄、紅、藍、墨色グラビア版に、本発明の表２に示した２００線数、１８７，５線、１７５線、１６５線の４版を使用すればモワレが発生しないカラー絵柄の印刷物が得ることができる。
【００６３】
また、４種の線数を使わなくても、１７５線と、１８７，５線を使用し、同線数については５度から１５度程度の角度を振ることで、より繊細なカラー絵柄の印刷物が得ることができる。
【００６４】
このように、本発明のグラビア版を使用すれば、ドクター摩耗は大幅に減少し印刷品質が安定し、カラー絵柄の再現性も良好な印刷物を得ることができる。さらに、ドクターの摩耗が少なくなるだけでなく、ドクター摩耗片又は粉による品質不良である、ドクター筋、筋汚れ、ヒゲの発生を皆無にすることが出来た。
【００６５】
本発明のグラビア印刷版はダイレクト網グラビア印刷版であって、版面に設けられる１００％濃度部のセルは、該セルを形成する土手を含む１画素の形状が長辺と短辺とからなる平行四辺形であって、前記長辺の線数は１インチ間に１００線から２２５線で、短辺方向の土手幅とセル幅の比である線比は１対３から１対６で、前記短辺も長辺と同じ土手幅で、前記長辺と前記短辺とで挟まれた鋭角部の中心線が、前記グラビア印刷版の円周方向から±３０度の範囲内の角度であって、前記１画素を１単位としてヘリンボーン模様に配置されていることを特徴とする。
【００６６】
ドクター摩耗を低減するために、対向する辺の長さを同じとする、平行四辺形のセル形状であり、長辺と短辺短辺からなる１画素を、交互に一定の角度で配置することにより、従来汎用的に使用される４５度の角度で傾けた正方形のセル幅より、ドクターがセルに接する幅を狭くし、且つ正方形のセル表面積と同じセル面積とした本発明のセルにより、ドクター摩耗が低減され同濃度の印刷物を得られるグラビア版とするものである。
【００６７】
図１７、図１８、図１９、図２０に、本発明のグラビア版のセル配列を表面拡大平面図で示し説明をする。尚、其々の図の右下に破線で１画素を示した。
【００６８】
図１７は、短辺の長さに対し、長辺の長さが２倍になる１画素をヘリンボーン模様に組み合わせ構成し、グラビア版に設けた表面の拡大平面図である。
【００６９】
図１８は、短辺の長さに対し、長辺の長さが２倍になる辺を平行四辺形（変形長方形）にした１画素をヘリンボーン模様に組み合わせ構成し、グラビア版に設けた表面の拡大平面図である。
【００７０】
図１９は、図１８と同じ平行四辺形（変形長方形）を別なヘリンボーン模様に組み合わせ構成したものである。
【００７１】
図２０は、短辺の長さに対し、長辺の長さが３倍になる１画素をヘリンボーン模様に組み合わせ構成し、グラビア版に設けた表面の拡大平面図である。
【００７２】
図２１は、短辺の長さに対し、長辺の長さが１，５倍になる辺を平行四辺形（変形長方形）にした１画素をヘリンボーン模様に組み合わせ構成し、グラビア版に設けた表面の拡大平面図である。
【００７３】
本発明の図１７の平行四辺形の１画素を図２２に示し、汎用的に使われている正方形のセルである図１と比較した。また、形状はおおよそ、４長辺は２４７線、短辺は１２４線で、長辺の線比は、１対２，８であった。
【００７４】
図２２に、白抜き両矢印にドクターが接するセルの幅を示した。図１と比較するとセルの幅は６５％弱、土手幅は９３％強となり、ドクターの摩耗は大幅に低減できるものであった。
【００７５】
このように、長方形又は平行四辺形（変形長方形）から、任意に選択されたセルを持つグラビア版を用い、ベタ柄と呼ばれる１００％濃度の任意の柄印刷を行なえば、グラビア版に設けたセルに加圧され接触するドクターはセル部においてタワミが少なくなることで摩耗が大幅に低減され、印刷品質の向上及びドクター使用数の減少及び作業負荷の低減に大きな効果がある。
【００７６】
本発明のグラビア印刷方法は、墨インキと三原色インキインキを使用し任意のカラー絵柄を印刷するダイレクト網グラビア印刷版において、前記ヘリンボーン模様の角度が任意に振られ、モワレの発生を防止する前記請求項５のダイレクト網グラビア印刷版を用いることを特徴とする。
【００７７】
本発明の、セルを有するグラビア版を使用しカラー絵柄を印刷する場合は、カラー階調に準じて網点に変換すればよく、またモワレを防止するために、汎用的に使用されている正方形のセルと同様に、墨、三原色について任意にセル角度を±１５度及び±３０度振ればモワレの発生はない。
【００７８】
これにより、ドクターの摩耗が少なくなるだけでなく、ドクター摩耗片又は粉による品質不良である、ドクター筋、筋汚れ、ヒゲの発生を皆無にすることが出来た。
【発明の効果】
【００７９】
本発明のグラビア版を用いることにより、ドクターの摩耗を少なくすることができ、またドクター摩耗によるドクター起因の摩耗片、摩耗粉がなくなり、もしくは減少し印刷品質の向上が図れた。また、印刷職場における副材料であるドクター使用量が減少し収益の向上にもつながった。
【００８０】
また、本発明のグラビア版は、概長方形のセルを直線状又はヘリンボーン状又は矢羽状などに配置することでカラー絵柄の印刷においても１００％濃度のセル表面積を、汎用的に使用されている正方形セル表面積と同じにして、ダイレクト製版による網点で階調表現をすることで、ドクターの摩耗を少なく印刷品質の向上した印刷方法とすることができた。
【００８１】
モワレの発生の対しては、セルの角度を振る方法ではなく、セルの表面積を同じにし、セル形状を変える事で、縦横の線数を変えて印刷物のモワレを防止することができた。
【図面の簡単な説明】
【００８２】
【図１】汎用的な１７５線  線比１：４の１画素図
【図２】本発明の１７５線  線比１：４の１画素図
【図３】図１を使用したグラビア印刷版の表面拡大平面図
【図４】図２を使用したグラビア印刷版の表面拡大平面図
【図５】本発明の１６５線  線比１：４の１画素図
【図６】本発明の１８７，５線  線比１：３，６の１画素図
【図７】本発明の２００線  線比１：３，３３の１画素図
【図８】本発明の２１０線  線比１：４の１画素図
【図９】本発明の２１０線  線比１：３，３３の１画素図
【図１０】図５の交差する土手の角度が対称となる１画素図
【図１１】本発明のセル形状のグラビア印刷版の表面拡大平面図
【図１２】本発明のグラビア印刷版の表面拡大平面図
【図１３】本発明の別なグラビア印刷版の表面拡大平面図
【図１４】本発明の別なグラビア印刷版の表面拡大平面図
【図１５】本発明の１７５線で菱形からなる１画素図
【図１６】図１５を使用したグラビア印刷版の表面拡大平面図
【図１７】本発明のグラビア版のセル配列の表面拡大平面図
【図１８】本発明のグラビア版のセル配列の別な表面拡大平面図
【図１９】本発明のグラビア版のセル配列の別な表面拡大平面図
【図２０】本発明のグラビア版のセル配列の別な表面拡大平面図
【図２１】本発明のグラビア版のセル配列の別な表面拡大平面図
【図２２】図１７の１画素図
【発明を実施するための形態】
【実施例１】
【００８３】
図３の汎用的に使用されているダイレクト網グラビア版と図４の本発明のダイレクト網グラビア版の２版を作製し、ドクター（セラメッキドクター）の摩耗比較を行った。版幅１１００ｍｍ版円周７００ｍｍの版を使用し、絵柄は版の中央部に７００ｍｍ幅で１００％濃度のベタ柄を設け版深は２５ミクロンとした。
【００８４】
グラビア印刷は、ウレタン系インキの白インキを使用しインキ粘度はザンカップ＃３で１６秒とし、ドクター加圧は１、２ｋｇとし、印刷速度２００ｍ／分とした。ドクターの摩耗は、印刷前のドクターの長さを測定しておき３００００ｍ印刷後の測定を行い、ドクターの摩耗を調べた。
【００８５】
上記の比較の結果、汎用的に使用されているダイレクト網グラビア版はドクターが０，７ｍｍ摩耗していたのに対し、本発明のダイレクト網グラビア版においては、０，４ｍｍの摩耗であった。
【００８６】
同様の比較を、ウレタン系インキの黄インキを使用し行った。結果は、汎用的に使用されているダイレクト網グラビア版はドクターが０，５ｍｍ摩耗していたのに対し、本発明のダイレクト網グラビア版においては、０，３ｍｍの摩耗であった。
【実施例２】
【００８７】
図１の汎用的に使用されているセル形状で、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。本発明のセル形状で、墨版、藍版、紅版、黄版のセル形状として墨版は図６、藍版は図２、紅版は図７、黄版は図５の１画素セル形状を選択し、カラー絵柄のダイレクト網グラビア版を作製した。本発明のグラビア版においては角度を振らなかった。
【００８８】
上記のカラー絵柄の４版と、実施例１で作成した版を白版として用い、汎用的に使用されているダイレクト網グラビア版と、本発明の線数の異なるダイレクト網グラビア版を用い、ウレタン系インキを使用し各色のインキ粘度をザンカップ＃３で１４秒とし、ドクター加圧は１、２ｋｇとし、印刷速度２００ｍ／分とし３００００ｍの印刷行い、カラー絵柄の再現性、意匠性を比較した。
【００８９】
どちらの版においても、カラー絵柄の再現性、意匠性に問題はなかった。また、モワレの発生もなかった。
【実施例３】
【００９０】
実施例２において、本発明のカラー絵柄の版は、角度を振らずに印刷を行なったが、角度を振った場合について、本実施例で確認を行った。
【００９１】
紅版を時計回りと逆に１５度角度を振り、藍版を図２でなく交差する土手を対称の角度に変え図１０のセル形状として、時計回りに１５度角度を振りグラビア版を作製し、実施例２と同様の確認をおこなった。結果はカラー絵柄の再現性、意匠性は良好でモワレの発生もなかった。
【実施例４】
【００９２】
図３の汎用的に使用されているダイレクト網グラビア版と本発明の図１７（1画素形状は図２２）のダイレクト網グラビア版の２版を作製し、ドクター（セラメッキドクター）の摩耗比較を行った。版幅１１００ｍｍ版円周７００ｍｍの版を使用し、絵柄は版の中央部に７００ｍｍ幅で１００％濃度のベタ柄を設け版深は２５ミクロンとした。
【００９３】
グラビア印刷は、ウレタン系インキの白インキを使用しインキ粘度はザンカップ＃３で１６秒とし、ドクター加圧は１、２ｋｇとし、印刷速度２００ｍ／分とした。ドクターの摩耗は、印刷前のドクターの長さを測定しておき３００００ｍ印刷後の測定を行い、ドクターの摩耗を調べた。
【００９４】
上記の比較の結果、汎用的に使用されているダイレクト網グラビア版はドクターが０，７ｍｍ摩耗していたのに対し、本発明のダイレクト網グラビア版においては、０，４ｍｍの摩耗であった。
【００９５】
同様の比較を、ウレタン系インキの黄インキを使用し行った。結果は、汎用的に使用されているダイレクト網グラビア版はドクターが０，５ｍｍ摩耗していたのに対し、本発明のダイレクト網グラビア版においては、０，３ｍｍの摩耗であった。
【実施例５】
【００９６】
図１の汎用的に使用されているセル形状で、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。本発明の図１７（1画素形状は図２２）のセル形状においても同様に、墨版、藍版、紅版、黄版のカラー絵柄のダイレクト網グラビア版（紅版は時計と逆回りに１５度、藍版は時計回りに１５度、黄版は時計回りに３０度セル角度を振った）を、版深２３ミクロンにして作製した。
【００９７】
上記のカラー絵柄の４版と、実施例３で作成した版を白版として用い、汎用的に使用されているダイレクト網グラビア版と、本発明のダイレクト網グラビア版を用い、ウレタン系インキを使用し各色のインキ粘度をザンカップ＃３で１４秒とし、ドクター加圧は１、２ｋｇとし、印刷速度２００ｍ／分とし３００００ｍの印刷行い、カラー絵柄の再現性、意匠性を比較した。
【００９８】
どちらの版においても、カラー絵柄の再現性、意匠性に問題はなかった。また、モワレの発生もなかった。
【符号の説明】
【００９９】
Ａ  １画素に占めるセル部分
Ｂ  １画素に占める土手部分